(57)【要約】【課題】メモリカード用カードリーダの提供。【解決手段】メモリカード用カードリーダである。一つのケース体およびその中にある切替回路基板から構成されている。当該ケース体の一端には中空タイプのプラグおよび内部装着スペースがあり、一端は対応するカード挿入スペースとカード挿入口がある。切替回路基板の片側の表面にはUSBインタフェースを設置している上に、片側は複数の導電ピンを設けている。切替回路基板のUSBインタフェースをプラグの装着スペースに向かわせると、USBポートの中のコンセントと接続することができる上に、USBインタフェースは導電コンセントの導電ピンとコンタクトできる。切替回路基板にある複数の導電ピンをカード挿入スペースに向かわせると、当該メモリカードの読み書きインタフェースと接触し、データの読み書きができる。【選択図】図１
0003131964.tif 000002
【実用新案登録請求の範囲】
【請求項１】
メモリカード用カードリーダであり、USBポートの挿入口と接続する上に、挿入口の内部のコンセントの導電ピンと接触し、なお、接続しているメモリカードと接続し、当該メモリカード用カードリーダにはケース体、切替回路基板を含み、
該ケース体の一端は中空タイプのプラグ及びその中に装着スペースがあり、もう一方はカード挿入スペースおよびカード挿入口があり、メモリカードはここに挿入でき、
該切替回路基板はケース体の装着スペースおよびカード挿入スペースの中に水平に設置され、当該回路基板の片側表面にはUSBインタフェースがあり、一端は複数の導電ピンがあり、
該回路基板のUSBインタフェースを当該プラグの装着スペースに向かわせると、USBポートの中のコンセントと同時に接続する上に、USBインタフェースは当該コンセントの導電ピンと接触することができ、また、切替回路基板の複数導電ピンをカード挿入スペースに向かわせると、メモリカードの読み書きインタフェースと接触することができることを特徴とするメモリカード用カードリーダ。
【請求項２】
当該ケース体は絶縁のプラスティックで作られ、当該プラグから一体に延長され、当該プラグの一端には装着口があり、なお、当該ケース体の内部の装着スペースがカード挿入スペースに向かって延長して一つのスロットおよびその端側にストッパーが形成され、切替回路基板をここに挿入して位置を固定できることを特徴とする請求項1で述べられているメモリカード用カードリーダ。
【請求項３】
当該ケース体の内部は、装着スペースおよびカード挿入スペースの間に横向きのストッパーが設置されており、メモリカードはそれによって位置を固定できることを特徴とする請求項1で述べられているメモリカード用カードリーダ。
【請求項４】
当該切替回路基板の片側にはケースが設けられ、当該ケースとケース体の間に少なくとも一つの固定用凸部およびそれと対応する固定用凹部が設けられることを特徴とする請求項1で述べられているメモリカード用カードリーダ。
【請求項５】
当該切替回路基板の表面には絶縁板が設置され、それによって、電気回路基板にある複数の導電パーツはお互いに隔離されていることを特徴とする請求項1で述べられているメモリカード用カードリーダ。
【考案の詳細な説明】
【技術分野】
【０００１】
本考案はメモリカード用カードリーダを提案する。特に、USBポートと接続する上に、挿入したメモリカードを読み取るメモリカード用カードリーダを指している。
【背景技術】
【０００２】
現在電子カードはパソコン、電子辞典などによく使われる。メモリカード、ネットワークカード、モデム、SCSI対応製品(高容量ハードディスク、スキャナー)などを拡充するときに使用されている。
今はPCMCIAカードを除いて、MMCカード(Multi Media Card)、CFカード(Compact Flash Card)、SMCカード(Smart Media（登録商標） Card)、MSカード(Memory Stick)およびSDカード(Secure Digital Memory Card)などのメモリカードの規格がある。これらはPDA、小型電子辞典およびデジタルカメラなどに使われている。
【０００３】
大部分の伝統的なメモリカードにはインタフェースが一つの規格しか構築されていないため、エレクトロニクス製品の対応ポートに対応することができるものの、広く使われているUSBインタフェースに対応できなかった。それゆえ、メモリカード内のデータを読み書きするには、単一のインタフェースのメモリカードをパソコンのUSBインタフェースと接続させ、メモリカード用カードリーダのような切り替え装置およびそれのUSBプラグを通してパソコンと接続しなければならない。しかし、従来のメモリカード用カードリーダの組立手順は煩雑である上に、標準型のUSBプラグを追加して設置しなければいけなかった。それに、メモリカード用カードリーダの切り替え装置のUSBインタフェースを直接にUSBプラグと接続させると、データ転送の安定性に影響しやすい。
【考案の開示】
【考案が解決しようとする課題】
【０００４】
本考案の目的はメモリカード用カードリーダを提供する。主に、ケース体と切替回路基板から構成されている。確実にUSBポートおよびメモリカードと接続してメモリカードを読み書きすることができる。大幅にデータ転送の安定性を向上させることができる上に、メモリカード用カードリーダの製造をより簡単に、便利に変えることが可能である。それがために、生産コストの削減が可能で、産業面の利用性もあると言える。
【０００５】
上述した目的を達成するために、本考案のメモリカード用カードリーダには以下のものが含まれている。ケース体が一つある。それの一端には中空タイプのプラグ及び中に装着スペースがある。一端はカード挿入スペースおよびカード挿入口があり、メモリカードを挿入できる。また、切替回路基板が一つある。当該基板はケース体の装着スペースおよびカード挿入スペースの中に水平に設置されておる。当該基板の片側の表面にはUSBインタフェースがあり、片側には複数の導電ピンが設けれている。切替回路基板のUSBインタフェースをプラグの装着スペースに向かわせると、USBポートの中のコンセントと接続することができる上に、USBインタフェースは導電コンセントの導電ピンとコンタクトできる。切り替え電気回路基板にある複数の導電ピンをカードの挿入スペースに向わせると、当該メモリカードの読み書きインタフェースと接触し、データの読み書きができる。
【０００６】
実施例では、当該ケース体内部の装着スペースがカード挿入スペースに向かって延長して、一つのスロットおよび一番端側に階段状ストッパーが形成されている。切替回路基板はそこに挿入して固定できる。また、当該ケース体内部の装着スペースおよびカードの挿入スペースの間にストッパーがあり、メモリカードはそれによって位置を固定できる。
【０００７】
もう一つの実施例において、当該切替回路基板の片側にはケースを設けている。当該ケースとケース体の間に少なくとも固定用凸部およびそれと対応する固定用凹み部が設けられている。なお、当該切替回路基板の表面に絶縁板を設置しており、切替回路基板のある複数導電パーツはこの装置によってお互いに隔離される。
【課題を解決するための手段】
【０００８】
請求項１の考案は、メモリカード用カードリーダであり、USBポートの挿入口と接続する上に、挿入口の内部のコンセントの導電ピンと接触し、なお、接続しているメモリカードと接続し、当該メモリカード用カードリーダにはケース体、切替回路基板を含み、
該ケース体の一端は中空タイプのプラグ及びその中に装着スペースがあり、もう一方はカード挿入スペースおよびカード挿入口があり、メモリカードはここに挿入でき、
該切替回路基板はケース体の装着スペースおよびカード挿入スペースの中に水平に設置され、当該回路基板の片側表面にはUSBインタフェースがあり、一端は複数の導電ピンがあり、
該回路基板のUSBインタフェースを当該プラグの装着スペースに向かわせると、USBポートの中のコンセントと同時に接続する上に、USBインタフェースは当該コンセントの導電ピンと接触することができ、また、切替回路基板の複数導電ピンをカード挿入スペースに向かわせると、メモリカードの読み書きインタフェースと接触することができることを特徴とするメモリカード用カードリーダとしている。
請求項２の考案は、当該ケース体は絶縁のプラスティックで作られ、当該プラグから一体に延長され、当該プラグの一端には装着口があり、なお、当該ケース体の内部の装着スペースがカード挿入スペースに向かって延長して一つのスロットおよびその端側にストッパーが形成され、切替回路基板をここに挿入して位置を固定できることを特徴とする請求項1で述べられているメモリカード用カードリーダとしている。
請求項３の考案は、当該ケース体の内部は、装着スペースおよびカード挿入スペースの間に横向きのストッパーが設置されており、メモリカードはそれによって位置を固定できることを特徴とする請求項1で述べられているメモリカード用カードリーダとしている。
請求項４の考案は、当該切替回路基板の片側にはケースが設けられ、当該ケースとケース体の間に少なくとも一つの固定用凸部およびそれと対応する固定用凹部が設けられることを特徴とする請求項1で述べられているメモリカード用カードリーダとしている。
請求項５の考案は、当該切替回路基板の表面には絶縁板が設置され、それによって、電気回路基板にある複数の導電パーツはお互いに隔離されていることを特徴とする請求項1で述べられているメモリカード用カードリーダとしている。
【考案の効果】
【０００９】
メモリカード用カードリーダである。一つのケース体およびその中にある切替回路基板から構成されている。当該ケース体の一端には中空タイプのプラグおよび内部装着スペースがあり、一端は対応するカード挿入スペースとカード挿入口がある。切替回路基板の片側の表面にはUSBインタフェースを設置している上に、片側は複数の導電ピンを設けている。切替回路基板のUSBインタフェースをプラグの装着スペースに向かわせると、USBポートの中のコンセントと接続することができる上に、USBインタフェースは導電コンセントの導電ピンとコンタクトできる。切替回路基板にある複数の導電ピンをカード挿入スペースに向かわせると、当該メモリカードの読み書きインタフェースと接触し、データの読み書きができる。
【考案を実施するための最良の形態】
【００１０】
上記の目的を達成するために、本考案の採用した構造およびその効果について、実施例をあげて説明する。
まず、図１〜図３を参照。本考案のメモリカード用カードリーダは一つのプラスティック製のケース体(10)および一つの切替回路基板(20)から構成されている。一端はパソコンなどのエレクトロニクス装置のUSBポート(40)(図9)に挿入、一端はメモリカード(30)(例：Micro SD)と接続し、当該メモリカード(30)内のデータを読み書きする。
【００１１】
図４〜８で示している好ましい実施例では、当該ケース体(10)は四辺形の中空構造に設計されており、一端は中空タイププラグ(11)がある。このプラグには同じ形状の装着口(14)およびその内部に装着スペース(12)が設けられている。当該ケース体（10）のもう一方はカード挿入スペース（13）を持ち、またカード挿入口(15)が設けられている。メモリカード(30)は水平な方向で奥に差し込むことができる。
【００１２】
上述した切替回路基板(20)(図1〜図4参照)はケース体(10)の装着スペース(12)およびカード挿入スペース(13)の下部に水平に設置されている。当該切替回路基板(20)の片側の表面にはUSBインタフェース(22)があり、一端には複数の列配列の導電ピン(23)がある。また、当該切替回路基板(20)の反対側には相関の集積回路および振動子などの電子パーツが設けられており、カーバーを被せる上にカーバー(21)と結合することができる。当該切替回路基板(20)のUSBインタフェース(22)を当該プラグ(11)の装着スペース(12)に向かわせると、図9が示しているように、USBポート(40)の挿入口(41)の内部のコンセント(42)と接続できる。なお、当該USBインタフェース(22)は当該コンセント(42)の導電ピン(43)と接続できる。同時に、当該切替回路基板(20)にある複数の導電ピン(43)をカード挿入スペース(13)に向かわせて、当該メモリカード(30)がカード挿入スペース(13)の中に挿入して固定すると、当該複数の導電ピン(23)は当該メモリカード(30)の読み書きインタフェース(31)と接続して、切替回路基板(20)およびそのUSBインタフェース(22)、USBポート(40)が接続状態になり、メモリカード(30)の中にあるデータを読み書きすることができる。
【００１３】
図４および図５で示している好ましい実施例では、ケース体(10)は絶縁のプラスティック素材であり、プラグ(11)と一体性がある。当該プラグ(11)の一端は装着口(14)がある。また、当該ケース体(10)の内部の装着スペース(12)はカード挿入スペース(13)に向かって延長して一つの下部スロット(16)及びその端側に階段状ストッパー(17)が形成されている。切替回路基板(20)をここに挿入して位置を固定することができる。なお、当該ケース体(10)の内部には、装着スペース(12)およびカード挿入スペース(13)の間に横向きのストッパー(18)が設けられており、メモリカード(30)をカード挿入スペース(13)に挿入してから位置を固定することができる。
【００１４】
本実施例のメモリカード用カードリーダのケース体(10)と切替回路基板(20)の組立構造は可動式で、図3が示しているように、当該切替回路基板(20)の反対側にはカーバー(21)が設けられている。その上に、当該カーバー(21)とケース体(10)の間に少なくとも一つの固定用凸部(24)がある上に、対応する位置にある孔状の固定用凹部(19)が設けられている。切替回路基板(20)にある二つの固定用凸部(24)をケース体(10)にある孔状の固定用凹部(19)の中に装着させることができる。また、当該切替回路基板(20)の片側表面には絶縁板(25)が設置されており(図2参照)、とめピンなどの固定パーツ(27)で位置を固定する。それで、当該切替回路基板(20)の上にある複数の導電ピン(23)はお互いにセパレーター(26)で隔離されていて、お互いの誤接触を防ぐことができる。
【００１５】
本考案のメモリカード用カードリーダはケース体(10)および切替回路基板(20)から構成されている。確実にUSBポート(40)と接続することができる上に、接続しているメモリカード(30)を読み書きすることが可能。大幅にデータを転送するときの安全性を向上させることができる。また、メモリカード用カードリーダの製造をより簡単かつ便利にさせ、コストダウンすることが可能のため、産業上の利用価値がある。
【図面の簡単な説明】
【００１６】
【図１】本考案の好ましい実施例であるメモリカード用カードリーダとメモリカードを接続するときの立体図である。
【図２】図１の分解図である。
【図３】図２の俯瞰状態の立体図である。
【図４】図１のメモリカード用カードリーダの断面図である。
【図５】図２のメモリカード用カードリーダの断面図である。
【図６】図２のメモリカード用カードリーダの正面図である。
【図７】図６の背面図である。
【図８】図１の断面図である。
【図９】図８の使用状態説明図である。
【符号の説明】
【００１７】
(10)ケース体
(11)プラグ
(12)装着スペース
(13)カード挿入スペース
(14)装着口
(15)カード挿入口
(16)スロット
(17)階段状ストッパー
(18)ストッパー
(19)固定用凹部
(20)切替回路基板
(21)カーバー
(22)USBインタフェース
(23)導電ピン
(24)固定用凸部
(25)絶縁板
(26)セパレーター
(27)固定パーツ
(30)メモリカード
(31)読み書きインタフェース
(40)USBポート
(41)挿入口
(42)コンセント
(43)導電ピン
【図１】
0003131964.tif 000003
【図２】
0003131964.tif 000004
【図３】
0003131964.tif 000005
【図４】
0003131964.tif 000006
【図５】
0003131964.tif 000007
【図６】
0003131964.tif 000008
【図７】
0003131964.tif 000009
【図８】
0003131964.tif 000010
【図９】
0003131964.tif 000011
【手続補正書】
【提出日】平成19年3月20日(2007.3.20)
【手続補正１】
【補正対象書類名】明細書
【補正対象項目名】０００２
【補正方法】変更
【補正の内容】
【０００２】
現在電子カードはパソコン、電子辞典などによく使われる。メモリカード、ネットワークカード、モデム、SCSI対応製品(高容量ハードディスク、スキャナー)などを拡充するときに使用されている。
今はPCMCIAカードを除いて、MMCカード(Multi Media Card)、CFカード「Compact Flash (登録商標) Card 」、SMCカード「Smart Media (登録商標) Card」、MSカード「Memory Stick (登録商標)」およびSDカード(Secure Digital Memory Card)などのメモリカードの規格がある。これらはPDA、小型電子辞典およびデジタルカメラなどに使われている。